(57)【要約】【課題】タッチ操作面における押し込み操作に基づいて、ユーザの意図に適合する態様で、手書き入力モードからカーソル移動モードへの遷移を実現すること。【解決手段】手書き入力モードと、カーソル移動モードとを備える入力装置であって、タッチ操作面に対する押し込み操作を検出する検出部と、タッチ操作面における入力座標を検出する座標検出部と、手書き入力モードにおいて、押し込み操作を伴う一の操作に係る入力座標に基づいて、手書き入力モードからカーソル移動モードへ遷移させるモード制御部とを含み、モード制御部は、一の操作の開始点の入力座標に対して、該一の操作に係る終了点まで入力座標が所定距離以内である場合、該一の操作に係る手書き入力を受け付けることなく、手書き入力モードからカーソル移動モードへ遷移させる。【選択図】図１
2018085046.tif 000002
【特許請求の範囲】
【請求項１】
タッチ操作面における入力座標の軌跡に応じた手書き入力を受け付ける手書き入力モードと、前記タッチ操作面における前記入力座標に応じてカーソルを移動させるカーソル移動モードとを備える入力装置であって、
前記タッチ操作面に対する押し込み操作を検出する検出部と、
前記タッチ操作面における前記入力座標を検出する座標検出部と、
手書き入力モードにおいて、前記押し込み操作を伴う一の操作に係る前記入力座標に基づいて、前記手書き入力モードから前記カーソル移動モードへ遷移させるモード制御部とを含み、
前記モード制御部は、前記一の操作の開始点の前記入力座標に対して、該一の操作に係る終了点まで前記入力座標が所定距離以内である場合、該一の操作に係る前記手書き入力を受け付けることなく、前記手書き入力モードから前記カーソル移動モードへ遷移させる、入力装置。
【発明の詳細な説明】
【技術分野】
【０００１】
本発明は、入力装置に関する。
【背景技術】
【０００２】
タッチパネルに所定本数の指が接触された際に、第１接触モードに切り替えると共に、タッチパネルに第１接触モードと異なる本数の指が接触された際に、第２接触モードに切り替える入力装置において、第１接触モードから第２接触モードに切り替える際、直前の第１接触モードにおける接触時間及び接触操作距離の少なくとも一方が閾値以下である場合に、直前の第１接触モードで操作された画像データの編集を取り消す技術が知られている（例えば、特許文献１参照）。
【先行技術文献】
【特許文献】
【０００３】
【特許文献１】特開2014-099053号公報
【発明の概要】
【発明が解決しようとする課題】
【０００４】
しかしながら、タッチ操作面における押し込み操作に基づいて、タッチ操作面における入力座標の軌跡に応じた手書き入力を受け付ける手書き入力モードから、入力座標の変化に応じてカーソルを移動させるカーソル移動モードへと切り替える場合、押し込み操作では、タッチ操作面における指の接触本数は変化しないので、上記の従来技術を適用することが難しい。
【０００５】
そこで、本発明は、タッチ操作面における押し込み操作に基づいて、ユーザの意図に適合する態様で、手書き入力モードからカーソル移動モードへの遷移を実現することを目的とする。
【課題を解決するための手段】
【０００６】
本発明によれば、タッチ操作面における入力座標の軌跡に応じた手書き入力を受け付ける手書き入力モードと、前記タッチ操作面における前記入力座標に応じてカーソルを移動させるカーソル移動モードとを備える入力装置であって、
前記タッチ操作面に対する押し込み操作を検出する検出部と、
前記タッチ操作面における前記入力座標を検出する座標検出部と、
手書き入力モードにおいて、前記押し込み操作を伴う一の操作に係る前記入力座標に基づいて、前記手書き入力モードから前記カーソル移動モードへ遷移させるモード制御部とを含み、
前記モード制御部は、前記一の操作の開始点の前記入力座標に対して、該一の操作に係る終了点まで前記入力座標が所定距離以内である場合、該一の操作に係る前記手書き入力を受け付けることなく、前記手書き入力モードから前記カーソル移動モードへ遷移させる、入力装置が提供される。
【発明の効果】
【０００７】
本発明によれば、タッチ操作面における押し込み操作に基づいて、ユーザの意図に適合する態様で、手書き入力モードからカーソル移動モードへの遷移を実現できる。
【図面の簡単な説明】
【０００８】
【図１】本発明の一実施例による入力装置の概略構成を示す図である。
【図２】手書入力用ＧＵＩ画像とタッチパッドでの操作の説明図である。
【図３】手書入力用ＧＵＩ画像とタッチパッドでの操作の説明図である。
【図４】手書入力用ＧＵＩ画像とタッチパッドでの操作の説明図である。
【図５】線入力操作及びモード切替操作の判別方法の説明図である。
【図６】比較例による手書入力用ＧＵＩ画像の画面状態の説明図である。
【図７】本実施例による手書入力用ＧＵＩ画像の画面状態の説明図である。
【発明を実施するための形態】
【０００９】
以下、添付図面を参照しながら各実施例について詳細に説明する。
【００１０】
図１は、本発明の一実施例による入力装置１の概略構成を示す図である。
【００１１】
入力装置１は、例えば車両に搭載される。入力装置１は、タッチパッド１０と、ディスプレイ２０と、ディスプレイ制御部３０（モード制御部の一例）とを含む。
【００１２】
タッチパッド１０は、車室内の適切な場所に設けられる。タッチパッド１０は、好ましくは、運転者が操作しやすい位置（運転姿勢を保ちながら手を伸ばして届く位置）に配置される。
【００１３】
タッチパッド１０は、図１に示すように、座標検出部１２と、押下圧力検出部１４（検出部の一例）とを含む。
【００１４】
座標検出部１２は、タッチ操作面における入力座標を表す検出信号（以下、「座標信号」という）をディスプレイ制御部３０に出力する。入力座標の検出原理は、静電式であってもよいし、微感圧式であってもよい。
【００１５】
押下圧力検出部１４は、タッチパッド１０の座標検出部１２の下方への移動を表す信号（以下、「押下オン信号」という）をディスプレイ制御部３０に出力する。押下圧力検出部１４は、例えばタクトスイッチや感圧センサ(例えば圧電素子)により構成される。押下圧力検出部１４は、タッチ操作面の下方移動に伴って移動する部材に接触する箇所に配置される。
【００１６】
ディスプレイ２０は、タッチパッド１０に対して遠隔位置に配置される。ディスプレイ２０は、液晶ディスプレイやＨＵＤ（ヘッドアップディスプレイ）のような任意の表示装置であってよい。ディスプレイ２０は、車室内の適切な位置（例えば、インストルメントパネル）に配置される。ディスプレイ２０は、タッチパネルディスプレイであってもよいし、タッチ操作ができないタイプのディスプレイであってもよい。ディスプレイ２０は、車両内に持ち込まれるユーザの携帯端末（例えばスマートフォン）の表示装置により実現されてもよい。
【００１７】
ディスプレイ制御部３０は、コンピュータにより形成される。ディスプレイ制御部３０は、タッチパッド１０及びディスプレイ２０に接続される。ディスプレイ制御部３０とタッチパッド１０及びディスプレイ２０との間の接続形態は、有線であってもよいし、無線通信可能な形態であってもよい。
【００１８】
ディスプレイ制御部３０は、タッチパッド１０から入力される座標信号及び押下オン信号に基づいて、ディスプレイ２０上の表示を制御する。ディスプレイ制御部３０は、ディスプレイ２０上に、手書入力モード又はカーソル移動モードでの入力が可能な手書入力用ＧＵＩ（Graphical User Interface）画像（図２乃至図４参照）を出力する。
【００１９】
図２乃至図４は、手書入力用ＧＵＩ画像の説明図であると共に、タッチパッド１０における操作と手書入力用ＧＵＩ画像の状態との関係の説明図である。図２乃至図４において、２００，２０１，２０２は、手書入力用ＧＵＩ画像の一例を示す。
【００２０】
手書入力用ＧＵＩ画像は、手書き入力の内容を表示する手書入力表示領域５０と、各種選択項目９１を表示する選択項目表示領域５２と、文字・記号の第１候補を表示する文字表示領域５４とを含む。尚、文字表示領域５４内の文字・記号列のうち、最後尾（図示の例では最も右側の文字・記号）は、現在入力中の文字・記号の第１候補であり、それ以外は、確定された文字・記号として扱われる。
【００２１】
選択項目９１は、仮想的(直接手で操作される類の機械式のボタンでないという意味)な操作ボタンを構成する。例えば、選択項目９１は、手書き入力の他の候補を表す選択項目を含む。例えば、「力」という第１候補（最もスコアが高い候補）に対して、「か」や「カ」などのような第２候補以下の他の候補がある場合、当該他の候補を表す選択項目９１が描画される。
【００２２】
ディスプレイ制御部３０は、手書き入力モード中、タッチパッド１０から入力される座標信号及び押下オン信号に基づいて、一の操作毎に、該一の操作が線入力操作であるか又はモード切替操作であるか否かを判別する。一の操作とは、座標信号が入力されてから入力されなくなるまでの期間に係る操作である。
【００２３】
図５は、線入力操作及びモード切替操作の判別方法の説明図である。図５には、４つの線入力パターンが（Ａ）〜（Ｄ）に示される。図５において、Ｓ１は、一の操作に係る開始点の入力座標を表し、Ｓ２は、一の操作に係る終了点の入力座標を表す。また、図５において、●が付されたＳ１及びＳ２は、当該位置で、押下オン信号が入力されたことを意味する。
【００２４】
図５に示される４つの線入力パターン６１，６２，６３，６４は、いずれも、開始点及び終了点の少なくともいずれかに●があるので、押し込み操作を伴う一の操作に係る線入力パターンである。
【００２５】
ディスプレイ制御部３０は、押し込み操作を伴う一の操作について、該一の操作に係る開始点の入力座標に対して該一の操作に係る終了点までの入力座標が所定距離α内である場合、該一の操作をモード切替操作であると判定する。以下、「開始点の入力座標に対して終了点までの入力座標が所定距離α内である」という条件を、「モード切替操作判定条件」とも称する。ディスプレイ制御部３０は、押し込み操作を伴う一の操作について、モード切替操作判定条件を満たす場合は、該一の操作をモード切替操作であると判定する。所定距離αは、モード切替操作を意図した押し込み操作の際の微小な入力座標の変動を許容するための閾値であり、適合値である。所定距離αは、例えば画素サイズに換算して１０ドット相当であってよい。従って、ディスプレイ制御部３０は、一の操作をモード切替操作であると判定すると、該一の操作に基づく手書き入力を受け付けることはない。図５に示す例では、線入力パターン６１，６２，６３，６４のうち、線入力パターン６２，６３，６４は、開始点の入力座標に対して終了点までの入力座標が所定距離α内であるので（即ち円形５００の外に出ることが無いので）、モード切替操作であると判定される。
【００２６】
ディスプレイ制御部３０は、手書き入力モード中、一の操作がモード切替操作（図３の押し込み操作に係る矢印Ｒ１参照）であると判定すると、手書き入力モードからカーソル移動モードに遷移する。
【００２７】
他方、ディスプレイ制御部３０は、一の操作に係る開始点の入力座標に対して該一の操作に係る入力座標が所定距離αを超えると、その時点から、該一の操作を線入力操作であると判定する。この場合、ディスプレイ制御部３０は、該一の操作が押し込み操作を伴うか否かに関係なく、該一の操作に係る手書き入力を受け付ける。図５に示す例では、線入力パターン６１，６２，６３，６４のうち、線入力パターン６１は、開始点の入力座標に対して終了点に至るまでの途中で入力座標が所定距離α外となるので（即ち円形５００の外に出るので）、その時点（入力座標が所定距離α外となった時点）から、線入力操作であると判定される。
【００２８】
具体的には、ディスプレイ制御部３０は、一の操作が線入力操作（図２のＲ０参照）であると判定すると、該一の操作に係る入力座標（開始点からの入力座標）に基づいて、該一の操作に係る手書き入力を受け付ける。例えば、ディスプレイ制御部３０は、タッチ操作面における入力座標の軌跡（線入力）に応じて、手書入力表示領域５０内に、入力座標の軌跡（線入力）に応じて線表示９０（図２参照）を出力する。また、ディスプレイ制御部３０は、手書き認識エンジン等を用いて、線入力に応じた文字・記号の第１候補の表示５４１（図２参照）を、文字表示領域５４内に出力する。また、ディスプレイ制御部３０は、手書き認識エンジン等を用いて、線入力に応じた文字・記号の第２候補以下の他の候補５４２（図２参照）を導出し、該他の候補５４２を表す各選択項目９１を、選択項目表示領域５２内に描画する。このようにして、手書き入力モード中、ユーザは、タッチ操作面における線入力操作により、文字や記号等の入力が可能となる。尚、図２では、タッチパッド１０において、タッチ操作面における入力座標の軌跡に対応する線入力Ｒ０が示される。
【００２９】
ディスプレイ制御部３０は、カーソル移動モード中は、タッチ操作面における入力座標に応じてカーソル８０を移動させる（図４参照）。カーソルとは、選択表示されている選択項目自体を表す。従って、カーソル８０の位置は、選択表示されている選択項目の位置に対応する。例えば、ディスプレイ制御部３０は、タッチ操作面とディスプレイ２０の画面との関係を規定した所定の変換式に基づいて、手書入力用ＧＵＩ画像における入力座標に対応する位置を特定し、該位置に対応付けられた選択項目にカーソルを描画する。従って、ユーザは、タッチ位置を変更することで（図４の矢印Ｒ２参照）、所望の選択項目を選択できる。
【００３０】
ディスプレイ制御部３０は、カーソル移動モード中、タッチパッド１０から入力される座標信号及び押下オン信号に基づいて、決定操作を受け付ける。具体的には、ディスプレイ制御部３０は、カーソル移動モード中、タッチパッド１０から入力される押下オン信号に基づいて、決定操作を受け付ける。また、ディスプレイ制御部３０は、カーソル移動モード中、タッチパッド１０から入力される座標信号に基づいてダブルタップ（２回連続のタップ）を検出した場合に、決定操作を受け付ける。ディスプレイ制御部３０は、決定操作を受け付けると、そのときの選択状態の選択項目（即ちカーソル８０が位置する選択項目）に係る機能（文字・記号の入力）を実現する。例えば、ユーザは、文字表示領域５４における表示５４１が所望の文字・記号でなく、選択項目９１に所望の文字・記号が描画されているとき、カーソル移動モードに移行して、選択項目９１にカーソル８０を移動させてから決定操作を行うことで、選択項目９１に係る所望の文字・記号で文字表示領域５４における表示５４１の文字・記号（第１候補）を置換できる。
【００３１】
次に、図６及び図７を参照して、本実施例の効果について説明する。
【００３２】
図６は、比較例による手書入力用ＧＵＩ画像の画面状態の遷移（ユーザ入力に伴う遷移）を示す図であり、左側から右側が時系列の方向に対応する。図７は、本実施例による手書入力用ＧＵＩ画像の画面状態の遷移（ユーザ入力に伴う遷移）を示す図であり、左側から右側が時系列の方向に対応する。
【００３３】
比較例では、手書き入力モード中、どのような押し込み操作を検出した場合であっても、カーソル移動モードへの遷移を実現すると共に、該押し込み操作に係る入力座標に基づいて手書き入力を受け付ける。
【００３４】
このような比較例の場合、例えば、ユーザは、線入力操作を行うことで線表示４００が表示される（Ｔ１参照）。このとき、ユーザは、カーソル移動モードへの遷移を希望して、押し込み操作を行う（Ｒ１０参照）。なお、押し込み操作Ｒ１０に係る操作は、モード切替操作判定条件を満たすものとする。比較例の場合、押し込み操作Ｒ１０に係る入力座標に基づいて線表示４００が変化した上で、カーソル移動モードへの遷移が実現される。即ち、線表示４００には、線表示４０１が付加されてしまう。この結果、第１候補の表示が"Ｐ"から"Ｒ"に変化し、第２候補以下についても変化してしまう。これは、ユーザの意図に反する変化であり、ユーザにとって不便となる。
【００３５】
これに対して、本実施例によれば、比較例で生じる不便を防止できる。具体的には、同様に、ユーザは、線入力操作を行うことで線表示４００が表示される（Ｔ１参照）。このとき、ユーザは、カーソル移動モードへの遷移を希望して、押し込み操作を行う（Ｒ１０参照）と、該押し込み操作に係る入力座標に基づいて線表示４００が変化することはなく（即ち図示の例では、第１候補の表示が"Ｐ"のままで）、カーソル移動モードへの遷移が実現される。これは、押し込み操作Ｒ１０に係る操作は、モード切替操作判定条件を満たすためである。従って、本実施例によれば、モード切替操作を意図する押し込み操作に起因して手書き入力が受付けられてしまう可能性を、低減できる。即ち、ユーザは、モード切替操作を意図する押し込み操作を行う前の状態（手書き入力の受付状態）を維持して、カーソル移動モードを実現し易くなる。
【００３６】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【符号の説明】
【００３７】
１  入力装置
１０  タッチパッド
１２  座標検出部
１４  押下圧力検出部
２０  ディスプレイ
３０  ディスプレイ制御部
５０  手書入力表示領域
５２  選択項目表示領域
５４  文字表示領域
６１  線入力パターン
６２  線入力パターン
６３  線入力パターン
６４  線入力パターン
８０  カーソル
９０  線表示
９１  選択項目
９１  種選択項目
４００  線表示
４０１  線表示
５４１  表示
５４２  候補
【図１】
2018085046.tif 000003
【図２】
2018085046.tif 000004
【図３】
2018085046.tif 000005
【図４】
2018085046.tif 000006
【図５】
2018085046.tif 000007
【図６】
2018085046.tif 000008
【図７】
2018085046.tif 000009